(57)【要約】      （修正有）【課題】集塵台を吊り上げる必要がない移動式誘導同期集塵装置を提供する。【解決手段】移動式誘導同期集塵装置は、作業台１０と、加工機３０と、集塵ユニット４０と、を備えている。移動可能な排気ボックスの機動性により煤煙を発生させる加工具の下方に対して直接集塵吸入を行い、同時に加工過程で落ちてきた小さなワーク、加工残留物、及び屑を受け止める。また、制御ユニットは作業台１０から取り外す排気ボックスを支持する駆動輪を駆動するようにモーターを制御し、小さなワーク、加工残留物、及び屑を掃除し、従来の掃除では集塵台全体を吊り上げなければならないという面倒を改善している。【選択図】図１
0003233256.tif 000002
【実用新案登録請求の範囲】
【請求項１】
２つの側壁及び２つの側壁の間に連接している複数の第一支持板を含み、前記２つの側壁は底側が床に近接している作業台と、
前記作業台に内設していると共に何れか１つの側壁に近接し、一端がブロワーに連結しているメインエアダクトと、
一側の下方に向けて延伸している加工具及び前記作業台の外側に跨設している２つのアジャスターを有し、２つのアジャスターにより作業台の長さ方向に沿って移動する加工機と、
前記作業台に位置し、排気ボックスと、駆動ユニットと、制御ユニットとを含み、前記排気ボックスはメインエアダクトに連通していると共に２つの集塵ボックス及び風路を有し、前記風路は２つの集塵ボックスの間に位置し、各集塵ボックスは風路に連通している複数の吸入孔をそれぞれ有し、前記駆動ユニットは前記排気ボックスの底側に設置している複数の駆動輪及びモーターを具備し、前記制御ユニットは電気的に接続しているコントローラーと、送信機と、複数の受信機とを含み、且つ前記コントローラーは前記モーターに電気的に接続し、前記送信機は加工機の移動中に複数の無線信号を持続的に発信すると共に前記複数の受信機により受信し、コントローラーが駆動ユニットを作動するように駆動させるようにモーターを制御すると共に加工機に追随して移動するように前記排気ボックスを駆動させ、これによりメインエアダクトの吸入気流が排気ボックスの集塵ボックス及び風路が移動することにより機動的に前記加工具の下方に対する集中吸入集塵効果を形成させ、同時に落ちてきた小さなワーク及び加工残留物を受け止め、且つ前記制御ユニットが駆動輪を駆動するようにモーターを制御して作業台から取り外す排気ボックスを支持させ、落ちてきた小さなワーク及び加工残留物を掃除する集塵ユニットと、を備えていることを特徴とする移動式誘導同期集塵装置。
【請求項２】
前記２つの集塵ボックスは風路に向けた一側に下向きに傾斜する２つの傾斜ガイド面を有し、且つ複数の吸入孔は前記２つの傾斜ガイド面に間隔を空けて配列するように設置していることを特徴とする請求項１に記載の移動式誘導同期集塵装置。
【請求項３】
前記メインエアダクトは上面に間隔を空けて開設している複数の排気口を有し、前記集塵ユニットはメインエアダクト及び排気ボックスの一端に接合している転向ボックスを備え、前記転向ボックスはテープと、複数のガイドローラーと、ボックスに連通している側面の吸入口及び下面の吸入口とを有し、前記テープの両端は下面の吸入口の両側から突き出していると共にメインエアダクトの上面の両端に結合し、下面の吸入口に対向していない余剰の排気口を遮蔽して閉じるために用い、且つ前記転向ボックスは各ガイドローラーによりガイドされてテープに沿ってメインエアダクトの上面を移動し、下面の吸入口が対向する排気口を改変し、前記側面の吸入口は各集塵ボックス及び風路の一端に連通していることを特徴とする請求項１に記載の移動式誘導同期集塵装置。
【請求項４】
前記制御ユニットのコントローラーは転向ボックスの上側に設置し、且つ複数の受信機は計４つであり、且つ２つ１組で配列するように設置し、前記送信機は加工機に設置していると共に複数の受信機の上方に位置し、何れか１組の受信機と送信機との間の無線信号が作業台の第一支持板により遮蔽された場合、前記コントローラーがもう１組の受信機により受信した無線信号を取得し、２組の受信機が共に遮蔽されていない場合、前記コントローラーは２組の受信機により受信した無線信号の中間値を取得し、無線信号が中断されないように保持していることを特徴とする請求項１に記載の移動式誘導同期集塵装置。
【請求項５】
前記作業台は複数の第二支持板及び複数の第三支持板を備え、前記複数の第二支持板は各第一支持板の底側に垂直に配列するように結合し、前記複数の第三支持板は何れか２つの第一支持板の間に間隔を空けて配列するように設置していると共に各第二支持板の上側に結合し、各第一支持板と共に加工ワークを支持する安定的な支持を提供していることを特徴とする請求項１に記載の移動式誘導同期集塵装置。
【請求項６】
前記駆動ユニットは複数のレール及び複数の従動輪を備え、前記複数のレールは床に設置していると共に加工機の移動方向に平行し、前記複数の従動輪は排気ボックスの底側に設置していると共に各駆動輪に対応して各レール上を移動することを特徴とする請求項１に記載の移動式誘導同期集塵装置。
【請求項７】
前記複数のレールの一端は作業台の外側にそれぞれ突出し、前記コントローラーが駆動輪により作業台の外に取り出すように排気ボックスを駆動するようにモーターを制御することを特徴とする請求項６に記載の移動式誘導同期集塵装置。
【請求項８】
前記排気ボックスは風路の底部に設けている開口部及び前記開口部を被覆して遮蔽する可動カバーを備え、且つ前記開口部を被覆する可動カバーを除去して集中的に受け止める加工残留物を開口部から排除することを特徴とする請求項２に記載の移動式誘導同期集塵装置。
【請求項９】
床に設けている収納溝及び前記収納溝用に設置していると共に加工残留物を受け止めるための収集バケットをさらに備え、前記収集バケットはバケット口に位置している複数の取っ手部を有していることを特徴とする請求項８に記載の移動式誘導同期集塵装置。
【請求項１０】
前記排気ボックスの２つの集塵ボックスには前記傾斜ガイド面の上側に間隔を空けて配列している複数のバッフル板をさらに設置し、前記複数のバッフル板は前記複数の吸入孔の上方に対向していると共に風路方向に向けて傾斜して下方に向けて延伸していることを特徴とする請求項２に記載の移動式誘導同期集塵装置。
【考案の詳細な説明】
【技術分野】
【０００１】
本考案は、金属切断加工に使用する集塵設備に関し、より詳しくは、移動式誘導同期集塵装置に関する。
【背景技術】
【０００２】
従来の特許文献では、例えば、下記特許文献１に記載されている直吸式負圧金属切削集塵テーブルは、エアパイプに設置している関節部材を空気式ドアに連結することでシーソー状態を形成している。開門用スライド板を関節部材に移動させると、加工機に追随して移動する開門用スライド板の圧迫を受けて関節部材の他端が空気式ドアを引き、上方に向けて擺動させて開くことで、ウィンドボックス中の煤煙がエアパイプに吸入され、ブロワーにより加工で発生した煤煙を吸い出すようになっている。
【０００３】
また、その明細書の第５頁の最後の段落から第６頁の第２行にかけて記載されているように、集塵台及び底板は分離式であり、掃除する場合は集塵台を吊り上げて底板の切削屑を掃除するのみでよい。
【先行技術文献】
【特許文献】
【０００４】
【特許文献１】台湾特許出願第３５４５９０号明細書
【考案の概要】
【考案が解決しようとする課題】
【０００５】
しかしながら、前述した従来の技術では、大きくて重い集塵台を吊り上げて掃除するのは面倒であるばかりか労力もかかり、操作の難度も高かった。
【０００６】
そこで、本考案者は上記の欠点が改善可能と考え、鋭意検討を重ねた結果、合理的設計で上記の課題を効果的に改善する本考案の提案に至った。
【０００７】
本考案は前記技術的課題に鑑みて開発されたものであり、移動式誘導同期集塵装置を提供することを目的とする。つまり、移動可能な排気ボックスの機動性により煤煙を発生させる加工具の下方に対して直接集塵吸入を行い、同時に加工過程で落ちてきた小さなワーク、加工残留物、及び屑を受け止める。また、制御ユニットは作業台から取り外す排気ボックスを支持するように駆動輪を駆動するようにモーターを制御し、小さなワーク、加工残留物、及び屑を掃除し、従来の掃除では集塵台全体を吊り上げなければならないという面倒を改善している。
【課題を解決するための手段】
【０００８】
前記技術的課題を解決する本考案の移動式誘導同期集塵装置は、
２つの側壁及び２つの側壁の間に連接している複数の第一支持板を含み、前記２つの側壁は底側が床に近接している作業台と、
前記作業台に内設していると共に何れか１つの側壁に近接し、一端が吸込送風機に連結しているメインエアダクトと、
一側の下方に向けて延伸している加工具及び前記作業台の外側に跨設している２つのアジャスターを有し、２つのアジャスターにより作業台の長さ方向に沿って移動する加工機と、
前記作業台に内設し、排気ボックスと、駆動ユニットと、制御ユニットとを含み、前記排気ボックスはメインエアダクトに連通していると共に２つの集塵ボックス及び風路を有し、前記風路は２つの集塵ボックスの間に位置し、各集塵ボックスは風路に連通している複数の吸入孔をそれぞれ有し、前記駆動ユニットは前記排気ボックスの底側に設置している複数の駆動輪及びモーターを具備し、前記制御ユニットは電気的に接続しているコントローラーと、送信機と、複数の受信機とを含み、且つ前記コントローラーは前記モーターに電気的に接続し、前記送信機は加工機の移動中に複数の無線信号を持続的に発信すると共に前記複数の受信機により受信し、コントローラーが駆動ユニットを作動するように駆動させるようにモーターを制御すると共に加工機に追随して移動するように前記排気ボックスを駆動させ、これによりメインエアダクトの吸入気流が排気ボックスの集塵ボックス及び風路が移動することにより機動的に前記加工具の下方に対する集中吸入集塵効果を形成させ、同時に落ちてきた小さなワーク及び加工残留物を受け止め、且つ前記制御ユニットが駆動輪を駆動するようにモーターを制御して作業台から取り外す排気ボックスを支持させ、落ちてきた小さなワーク及び加工残留物を掃除する集塵ユニットと、を備えている。
【０００９】
本明細書及び図面の記載により、少なくとも、以下の事項が明らかとなる。
【図面の簡単な説明】
【００１０】
【図１】本考案の第１実施形態に係る移動式誘導同期集塵装置を示す概略構成図である。
【図２】本考案の集塵ユニットを作業台から取り外する傾斜構成図である。
【図３】本考案の作業台の部分を示す分解概略図である。
【図４】本考案の一実施形態に係る移動式誘導同期集塵装置を示す平面概略構成図である。
【図５】本考案の集塵ユニットを示す傾斜概略図である。
【図６】図１のVI−VI線に沿う断面概略図である。
【図７】図４のVII−VII線に沿う断面概略図である。
【図８】本考案の制御ユニットが排気ボックスを駆動するように無線信号により制御し、加工機に追随して移動する平面概略図である。
【図９】床に設置する収納溝、収納溝に設置する収集バケット、及び風路に設置する開口部を示す断面概略図である。
【図１０】本考案の収納溝の収集バケットにより加工残留物を受け止める断面概略図である。
【図１１】本考案の他の実施形態に係る排気ボックスの部分を示す傾斜図である。
【図１２】図１１のＸＩＩ−ＸＩＩ線に沿う断面概略図である。
【考案を実施するための形態】
【００１１】
以下に図面を参照して、本考案を実施するための形態について、詳細に説明する。なお、本考案は、以下に説明する実施形態に限定されるものではない。
【００１２】
次に、図１〜１１を参照しながら、本考案の移動式誘導同期集塵装置をさらに詳しく説明する。移動式誘導同期集塵装置は、２つの側壁１１と、２つの側壁１１の間に連接している複数の第一支持板１２と、２つの側壁１１の各第一支持板１２の間に位置している集塵スペース１００とを含み、２つの側壁１１は底側が床５０に近接している作業台１０  を備えている。
【００１３】
メインエアダクト２０は作業台１０に内設している細長い構造であり、且つ何れか１つの側壁１１に近接し、メインエアダクト２０は一端がブロワー６０に連結している。
【００１４】
加工機３０は一側の下方に向けて延伸している加工具３１及び作業台１０の外側に跨設している２つのアジャスター３２を有し、加工機３０は２つのアジャスター３２により作業台１０の長さ方向に沿って移動する。
【００１５】
集塵ユニット４０は作業台１０内に位置し、排気ボックス４１と、駆動ユニット４２と、制御ユニット４３とを備え、排気ボックス４１はメインエアダクト２０に連通していると共に２つの集塵ボックス４１１及び風路４１２を有し、風路４１２は２つの集塵ボックス４１１の間に位置していると共に各集塵ボックス４１１は風路４１２に連通している複数の吸入孔４１１１をそれぞれ有している。駆動ユニット４２は排気ボックス４１の底側に設置している複数の駆動輪４２１及びモーター４２２を含み、制御ユニット４３は電気的に接続しているコントローラー４３２と、送信機４３３と、複数の受信機４３４とを具備し、コントローラー４３２はモーター４２２に電気的に接続している。送信機４３３は加工機３０の移動中に複数の無線信号４３１を持続的に発信すると共に複数の受信機４３４により受信し、コントローラー４３２が駆動ユニット４２を作動するように駆動させるようにモーター４２２を制御すると共に加工機３０に追随して移動するように排気ボックス４１を駆動させ、排気ボックス４１が移動することによりメインエアダクト２０の吸入気流が集塵ボックス４１１及び風路４１２に加工具３１の下方に対する集中吸入集塵効果を形成させ、同時に落ちてきた小さなワーク及び加工残留物Ａを受け止め、且つ制御ユニット４３が駆動輪４２１を駆動するようにモーター４２２を制御して作業台１０から取り外す排気ボックス４１を支持させ、落ちてきた小さなワーク及び加工残留物Ａを掃除する。
【００１６】
本考案のメインエアダクト２０の吸入気流が排気ボックス４１の風路４１２が移動することにより機動的に加工具３１の下方に対する直接吸入集塵を行う。排気ボックス４１を移動させる機動性により集中吸入効果を形成するように内部の吸入気流を操作し、煤煙を吸入することによる集塵効果を高めている。小さい吸入馬力でも必要な吸入効果を達成させ、吸入にかかる電力の消耗を効果的に減らし、省エネ及び二酸化炭素削減を達成させている。
【００１７】
また、機動性により加工具３１の下方の風路４１２に対して同時に落ちてきた小さなワーク及び破片を受け止め、制御ユニット４３により駆動輪４２１を駆動させるようにモーター４２２を制御し、作業台１０の外に取り出す排気ボックス４１を支持することで、工具を使用して加工残留物Ａを掻き出すのみで楽に掃除を完了できるようにしている。
【００１８】
また、排気ボックス４１及び風路４１２の大きさを変化させることで、吸入に対応するモーターの馬力及びエネルギー消費量の設計を改変する。
【００１９】
図１乃至図９を参照すれば、２つの集塵ボックス４１１は風路４１２に向けた一側に下向きに傾斜する２つの傾斜ガイド面４１１２を有し、且つ複数の吸入孔４１１１は２つの傾斜ガイド面４１１２に間隔を空けて配列して２つの集塵ボックス４１１と風路４１２とを連通させている。なお、図５乃至図８に示されるように、メインエアダクト２０は上面に間隔を空けて位置している複数の排気口２１を有し、集塵ユニット４０はメインエアダクト２０及び排気ボックス４１の一端を接合している転向ボックス４４を備え、転向ボックス４４はテープ４４１と、複数のガイドローラー４４２と、ボックス内に連通している側面の吸入口４４３及び下面の吸入口４４４とを有している。テープ４４１の両端は下面の吸入口４４４の両側から突き出していると共にメインエアダクト２０の上面の両端に結合し、下面の吸入口４４４に対向していない余剰の排気口２１を遮蔽して閉じるために用いている。転向ボックス４４は各ガイドローラー４４２によりガイドされてテープ４４１に沿ってメインエアダクト２０の上面を移動し、下面の吸入口４４４が対向する排気口２１を改変し、側面の吸入口４４３は各集塵ボックス４１１及び風路４１２の一端に連通している。図７と図８に示されるように、制御ユニット４３のコントローラー４３２は転向ボックス４４の上側に設置し、且つ複数の受信機４２４は計４つであり、且つ２つ１組で配列するように設置している（図中ではコントローラー４３２上に図示する）。送信機４２２は加工機３０に設置していると共に複数の受信機４３４の上方に位置し、何れか１組の受信機４２４と送信機４２２との間の無線信号４３１が作業台１０の第一支持板１２により遮蔽された場合、コントローラー４３２はもう１組の受信機４２４により受信した無線信号４３１を取得し、２組の受信機４２４が共に遮蔽された場合、コントローラー４３２は２組の受信機４２４により受信した無線信号４３１の中間値を取得し、無線信号が中断されないように保持している。図１乃至図３によると、作業台１０は複数の第二支持板１３及び複数の第三支持板１４を備え、複数の第二支持板１３は各第一支持板１２の底側に垂直に配列するように結合し、複数の第三支持板１４は何れか２つの第一支持板１２の間に間隔を空けて配列するように設置していると共に各第二支持板１３の上側に結合し、各第一支持板１２と共に加工ワーク７０を支持する安定的な支持を提供している。
【００２０】
また、駆動ユニット４２は複数のレール４２３及び複数の従動輪４２４を備え、複数のレール４２３は床５０に設置していると共に加工機３０の移動方向に平行し、複数の従動輪４２４は排気ボックス４１の底側に設置していると共に各駆動輪４２１に対応して各レール４２３上を移動する。
【００２１】
図２を参照すれば、複数のレール４２３の一端は作業台１０の外側にそれぞれ突出し、コントローラー４３２が駆動輪４２１により作業台１０の外に取り出す排気ボックス４１を駆動するようにモーター４２２を制御し、風路４１２内で集中的に受け止めた加工残留物Ａ及び小さなワークの掃除が、工具を使用して加工残留物Ａを掻き出すのみで完了するようにしている。
【００２２】
なお、図９と図１０に示されるように、排気ボックス４１は風路４１２の底部に設けている開口部４１３及び開口部４１３を被覆して遮蔽する可動カバー４１４を備え、且つ開口部４１３を被覆する可動カバー４１４を除去して集中的に受け止めた加工残留物Ａを開口部４１３から排除する。床５０に設けている収納溝５１及び収納溝５１に設置していると共に加工残留物Ａを受け止めるための収集バケット５２をさらに備え、収集バケット５２はバケット口に位置している複数の取っ手部５２１を有している。まず、収集バケット５２が受け止めた加工残留物Ａ及び小さなワークを、取っ手部５２１を把持して収集バケット５２全体を持ち上げて排出すれば掃除が完了する。前述の従来の特許では作業台１０を吊り上げて掃除を行わねばならないという操作の面倒さを改善している。
【００２３】
図１１及び図１２は排気ボックス４１の他の実施例を図示する。排気ボックス４１の２つの集塵ボックス４１１には傾斜ガイド面４１１２の上側に間隔を空けて配列している複数のバッフル板４１１３をさらに設置し、複数のバッフル板４１１３は複数の吸入孔４１１１の上方に対向していると共に風路４１２の方向に向けて傾斜して下方に向けて延伸し、小さなワーク及び加工残留物Ａが吸入孔４１１１から集塵ボックス４１１に入らないようにブロックしている。
【００２４】
メインエアダクト２０の吸入気流は排気ボックス４１の風路４１２が移動することにより機動的に加工具３１の下方に対して直接吸入集塵を行い、加工残留物Ａ及び小さなワークを受け止める。従来の特許では作業台１０全体を吊り上げて底板を掃除しなければならないという面倒を確実に解決し、以下の利点を達成させている。
１、コントローラー４３２が駆動輪４２１により作業台１０の外に取り出す排気ボックス４１を駆動するようにモーター４２２を制御し、風路４１２内で受け止めた加工残留物Ａ及び小さなワークを掃除可能にすることで、作業台１０全体を吊り上げるという面倒な操作が不要になる。
２、排気ボックス４１を移動させる機動的な操作により、排気ボックス４１が風路４１２が限られている溝口空間で吸入気流により集中吸入効果を形成するようにし、小さい吸入馬力でも必要な吸入効果を達成し、吸入に必要な動力及び電力の消耗を抑え、省エネ及び二酸化炭素削減を達成させている。
３、排気ボックス４１及び風路４１２の大きさを変化させることにより、吸入に対応するモーターの馬力及びエネルギー消費量の設計を改変する。
【００２５】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００２６】
１０  作業台
１１  側壁
１２  第一支持板
１３  第二支持板
１４  第三支持板
１００  集塵スペース
２０  メインエアダクト
２１  排気口
３０  加工機
３１  加工具
３２  アジャスター
４０  集塵ユニット
４１  排気ボックス
４１１  集塵ボックス
４１１１  吸入孔
４１１２  傾斜ガイド面
４１２  風路
４１３  開口部
４１４  可動カバー
４２  駆動ユニット
４２１  駆動輪
４２２  モーター
４２３  レール
４２４  従動輪
４３  制御ユニット
４３１  無線信号
４３２  コントローラー
４３３  送信機
４３４  受信機
４４  転向ボックス
４４１  テープ
４４２  ガイドローラー
４４３  側面の吸入口
４４４  下面の吸入口
５０  床
５１  収納溝
５２  収集バケット
５２１  取っ手部
６０  ブロワー
７０  加工ワーク
Ａ  加工残留物
【図１】
0003233256.tif 000003
【図２】
0003233256.tif 000004
【図３】
0003233256.tif 000005
【図４】
0003233256.tif 000006
【図５】
0003233256.tif 000007
【図６】
0003233256.tif 000008
【図７】
0003233256.tif 000009
【図８】
0003233256.tif 000010
【図９】
0003233256.tif 000011
【図１０】
0003233256.tif 000012
【図１１】
0003233256.tif 000013
【図１２】
0003233256.tif 000014
【手続補正書】
【提出日】令和3年5月18日(2021.5.18)
【手続補正１】
【補正対象書類名】実用新案登録請求の範囲
【補正対象項目名】全文
【補正方法】変更
【補正の内容】
【実用新案登録請求の範囲】
【請求項１】
２つの側壁及び２つの側壁の間に連接している複数の第一支持板を含み、前記２つの側壁は底側が床に近接している作業台と、
前記作業台に内設していると共に何れか１つの側壁に近接し、一端がブロワーに連結しているメインエアダクトと、
一側の下方に向けて延伸している加工具及び前記作業台の外側に跨設している２つのアジャスターを有し、２つのアジャスターにより作業台の長さ方向に沿って移動する加工機と、
前記作業台に位置し、排気ボックスと、駆動ユニットと、制御ユニットとを含み、前記排気ボックスはメインエアダクトに連通していると共に２つの集塵ボックス及び風路を有し、前記風路は２つの集塵ボックスの間に位置し、各集塵ボックスは風路に連通している複数の吸入孔をそれぞれ有し、前記駆動ユニットは前記排気ボックスの底側に設置している複数の駆動輪及びモーターを具備し、前記制御ユニットは電気的に接続しているコントローラーと、送信機と、複数の受信機とを含み、且つ前記コントローラーは前記モーターに電気的に接続し、前記送信機は加工機の移動中に複数の無線信号を持続的に発信すると共に前記複数の受信機により受信し、コントローラーが駆動ユニットを作動するように駆動させるようにモーターを制御すると共に加工機に追随して移動するように前記排気ボックスを駆動させ、これによりメインエアダクトの吸入気流が排気ボックスの集塵ボックス及び風路が移動することにより機動的に前記加工具の下方に対する集中吸入集塵効果を形成させ、同時に落ちてきた小さなワーク及び加工残留物を受け止め、且つ前記制御ユニットが、排気ボックスを支持する駆動輪を駆動して前記排気ボックスを作業台から取り外すように、モーターを制御し、落ちてきた小さなワーク及び加工残留物を掃除する集塵ユニットと、を備えていることを特徴とする移動式誘導同期集塵装置。
【請求項２】
前記２つの集塵ボックスは風路に向けた一側に下向きに傾斜する２つの傾斜ガイド面を有し、且つ複数の吸入孔は前記２つの傾斜ガイド面に間隔を空けて配列するように設置していることを特徴とする請求項１に記載の移動式誘導同期集塵装置。
【請求項３】
前記メインエアダクトは上面に間隔を空けて開設している複数の排気口を有し、前記集塵ユニットはメインエアダクト及び排気ボックスの一端に接合している転向ボックスを備え、前記転向ボックスはテープと、複数のガイドローラーと、ボックスに連通している側面の吸入口及び下面の吸入口とを有し、前記テープの両端は下面の吸入口の両側から突き出していると共にメインエアダクトの上面の両端に結合し、下面の吸入口に対向していない余剰の排気口を遮蔽して閉じるために用い、且つ前記転向ボックスは各ガイドローラーによりガイドされてテープに沿ってメインエアダクトの上面を移動し、下面の吸入口が対向する排気口を改変し、前記側面の吸入口は各集塵ボックス及び風路の一端に連通していることを特徴とする請求項１に記載の移動式誘導同期集塵装置。
【請求項４】
前記制御ユニットのコントローラーは転向ボックスの上側に設置し、且つ複数の受信機は計４つであり、且つ２つ１組で配列するように設置し、前記送信機は加工機に設置していると共に複数の受信機の上方に位置し、何れか１組の受信機と送信機との間の無線信号が作業台の第一支持板により遮蔽された場合、前記コントローラーがもう１組の受信機により受信した無線信号を取得し、２組の受信機が共に遮蔽されていない場合、前記コントローラーは２組の受信機により受信した無線信号の中間値を取得し、無線信号が中断されないように保持していることを特徴とする請求項１に記載の移動式誘導同期集塵装置。
【請求項５】
前記作業台は複数の第二支持板及び複数の第三支持板を備え、前記複数の第二支持板は各第一支持板の底側に垂直に配列するように結合し、前記複数の第三支持板は何れか２つの第一支持板の間に間隔を空けて配列するように設置していると共に各第二支持板の上側に結合し、各第一支持板と共に加工ワークを支持する安定的な支持を提供していることを特徴とする請求項１に記載の移動式誘導同期集塵装置。
【請求項６】
前記駆動ユニットは複数のレール及び複数の従動輪を備え、前記複数のレールは床に設置していると共に加工機の移動方向に平行し、前記複数の従動輪は排気ボックスの底側に設置していると共に各駆動輪に対応して各レール上を移動することを特徴とする請求項１に記載の移動式誘導同期集塵装置。
【請求項７】
前記複数のレールの一端は作業台の外側にそれぞれ突出し、前記コントローラーが駆動輪により作業台の外に取り出すように排気ボックスを駆動するようにモーターを制御することを特徴とする請求項６に記載の移動式誘導同期集塵装置。
【請求項８】
前記排気ボックスは風路の底部に設けている開口部及び前記開口部を被覆して遮蔽する可動カバーを備え、且つ前記開口部を被覆する可動カバーを除去して集中的に受け止める加工残留物を開口部から排除することを特徴とする請求項２に記載の移動式誘導同期集塵装置。
【請求項９】
床に設けている収納溝及び前記収納溝用に設置していると共に加工残留物を受け止めるための収集バケットをさらに備え、前記収集バケットはバケット口に位置している複数の取っ手部を有していることを特徴とする請求項８に記載の移動式誘導同期集塵装置。
【請求項１０】
前記排気ボックスの２つの集塵ボックスには前記傾斜ガイド面の上側に間隔を空けて配列している複数のバッフル板をさらに設置し、前記複数のバッフル板は前記複数の吸入孔の上方に対向していると共に風路方向に向けて傾斜して下方に向けて延伸していることを特徴とする請求項２に記載の移動式誘導同期集塵装置。